(57)【要約】【課題】貯湯槽内の高温の湯を給湯と熱交換の熱源として利用する貯湯式給湯装置であっても、ヒートポンプユニットの沸き上げ性能が低下することを防止することが可能な貯湯式給湯装置を実現する。【解決手段】貯湯槽１には、循環回路４３の複数の吐出口４２ａ、４２ｂ、４２ｃと、給湯配管１３、１４、１７ａ、１７ｂの複数の導出口１４ａ、１４ｂ、１４ｃとが設けられ、吐出口４２ａ、４２ｂ、４２ｃを接続した部位の湯温が、循環回路４３における貯湯槽１内に戻る中温の湯の湯温とほぼ同一である吐出口４２ａ、４２ｂ、４２ｃより、貯湯槽１内に中温の湯を戻す構成であり、かつ導出口１４ａ、１４ｂ、１４ｃを接続した部位が、吐出口４２ａ、４２ｂ、４２ｃよりも上方の部位に接続された導出口１４ａ、１４ｂ、１４ｃから貯湯槽１内の湯を出湯させるように構成した。これにより、沸き上げ性能の低下を防止できる。【選択図】        図１
2004183920.tif 000002
【特許請求の範囲】
【請求項１】
給湯用の湯を内部に貯える貯湯槽（１）と、
前記貯湯槽（１）内の最下部の水を、前記貯湯槽（１）内の最上部に送る第１循環回路（２０）と、
前記第１循環回路（２０）に設けられ、前記第１循環回路（２０）を流れる水を加熱して高温の湯とするヒートポンプユニット（２）と、
前記ヒートポンプユニット（２）により加熱され前記貯湯槽（１）内の最上部に貯えられた高温の湯を、循環して前記貯湯槽（１）内に戻す第２循環回路（４３）と、
前記第２循環回路（４３）に設けられ、前記第２循環回路（４３）を流れる高温の湯と被加熱物とを熱交換して、前記第２循環回路（４３）を流れる高温の湯を中温の湯とする熱交換手段（８１）と、
前記貯湯槽（１）内の湯が前記貯湯槽（１）外で消費されるときには、前記貯湯槽（１）内の湯を前記貯湯槽（１）外に送る給湯配管（１３、１４、１７ａ、１７ｂ）と、
前記貯湯槽（１）内の湯が前記給湯配管（１３、１４、１７ａ、１７ｂ）を通って前記貯湯槽（１）外で消費されるときには、前記貯湯槽（１）内の最下部に水を供給する給水配管（１２）とを備える貯湯式給湯装置であって、
前記第２循環回路（４３）は、前記第２循環回路（４３）を流れ、前記貯湯槽（１）内に戻る前記中温の湯を、前記貯湯槽（１）内の高温の湯と水との間に戻す構成であるとともに、前記給湯配管（１３、１４、１７ａ、１７ｂ）は、前記貯湯槽（１）内の湯が前記給湯配管（１３、１４、１７ａ、１７ｂ）を通って前記貯湯槽（１）外で消費されるときには、前記第２循環回路（４３）から前記貯湯槽（１）内に戻された前記高温の湯と水との間よりも上方の部位に設けられた上流側端部（１４ａ、１４ｂ、１４ｃ）から前記貯湯槽（１）内の湯を出湯させるように構成したことを特徴とする貯湯式給湯装置。
【請求項２】
前記貯湯槽（１）は、その高さ方向において前記第２循環回路（４３）の下流側端部（４２ａ、４２ｂ、４２ｃ）を複数に分けて接続しており、これら複数の下流側端部（４２ａ、４２ｂ、４２ｃ）のうち、前記貯湯槽（１）内において前記下流側端部（４２ａ、４２ｂ、４２ｃ）を接続した部位の湯温が、前記第２循環回路（４３）を前記貯湯槽（１）内に戻る前記中温の湯の湯温とほぼ同一である前記下流側端部（４２ａ、４２ｂ、４２ｃ）より、前記貯湯槽（１）内に前記中温の湯を戻す構成であるとともに、前記貯湯槽（１）の高さ方向において前記給湯配管（１３、１４、１７ａ、１７ｂ）の前記上流側端部（１４ａ、１４ｂ、１４ｃ）を複数に分けて接続しており、これら複数の上流側端部（１４ａ、１４ｂ、１４ｃ）のうち、前記貯湯槽（１）内において前記上流側端部（１４ａ、１４ｂ、１４ｃ）を接続した部位が、前記下流側端部（４２ａ、４２ｂ、４２ｃ）を接続した部位よりも上方の部位に接続された前記上流側端部（１４ａ、１４ｂ、１４ｃ）から前記貯湯槽（１）内の湯を出湯させるように構成したことを特徴とする請求項１に記載の貯湯式給湯装置。
【請求項３】
前記給湯配管（１３、１４、１７ａ、１７ｂ）は、前記貯湯槽（１）内において前記上流側端部（１４ａ、１４ｂ、１４ｃ）を接続した部位の湯温が、前記貯湯槽（１）外で消費される湯の必要温度以上である前記上流側端部（１４ａ、１４ｂ、１４ｃ）より、選択的に出湯される構成であることを特徴とする請求項１または請求項２に記載の貯湯式給湯装置。
【請求項４】
前記給湯配管（１３、１４、１７ａ、１７ｂ）には、前記貯湯槽（１）外で消費される必要温度の湯を調節する第１、第２混合弁（１６ａ、１６ｂ）と必要温度以上の湯を調節する第３混合弁（１６ｃ）とが設けられ、前記第３混合弁（１６ｃ）は、前記上流側端部（１４ａ、１４ｂ、１４ｃ）から出湯される湯のうち、前記貯湯槽（１）内の最上部に貯えられた高温の湯と、前記第２循環回路（４３）から前記貯湯槽（１）内に戻された前記下流側端部（４２ａ、４２ｂ、４２ｃ）を接続した部位よりも上方の部位に接続された前記上流側端部（１４ａ、１４ｂ、１４ｃ）から出湯される湯とを混合させて前記貯湯槽（１）外で消費される湯の必要温度以上の湯に調節して前記第１、第２混合弁（１６ａ、１６ｂ）に供給することを特徴とする請求項１ないし請求項３のいずれか一つに記載の貯湯式給湯装置。
【請求項５】
前記被加熱物は、床暖房ユニット（８０）、暖房器、または乾燥器の熱媒体であり、前記熱交換手段（８１）は、前記第２循環回路（４３）を流れる前記高温の湯と前記熱媒体とを熱交換する熱交換器であることを特徴とする請求項１ないし請求項４のいずれか１つに記載の貯湯式給湯装置。
【請求項６】
前記ヒートポンプユニット（２）は、冷媒が二酸化炭素であることを特徴とする請求項１ないし請求項５のいずれか１つに記載の貯湯式給湯装置。
【請求項７】
給湯用の湯を内部に貯える第１貯湯槽（１ａ）と、
最上部を前記第１貯湯槽（１ａ）の最下部に連通し、給湯用の湯を内部に貯える第２貯湯槽（１ｂ）と、
前記第２貯湯槽（１ｂ）内の最下部の水を、前記第１貯湯槽（１ａ）内の最上部に送る第１循環回路（２０ａ）と、
前記第１循環回路（２０ａ）に設けられ、前記第１循環回路（２０ａ）を流れる水を加熱して高温の湯とするヒートポンプユニット（２）と、
前記ヒートポンプユニット（２）により加熱され前記第１貯湯槽（１ａ）内の最上部に貯えられた高温の湯を、循環して前記第２貯湯槽（１ｂ）内の最下部に戻す第２循環回路（４３ａ）と、
前記第２循環回路（４３ａ）に設けられ、前記第２循環回路（４３ａ）を流れる高温の湯と被加熱物とを熱交換して、前記第２循環回路（４３ａ）を流れる高温の湯を中温の湯とする熱交換手段（８１）と、
前記第１貯湯槽（１ａ）内もしくは前記第２貯湯槽（１ｂ）内の湯が両貯湯槽（１ａ、１ｂ）外で消費されるときには、前記第１貯湯槽（１ａ）内もしくは前記第２貯湯槽（１ｂ）内の湯を前記両貯湯槽（１ａ、１ｂ）外に送る給湯配管（１３、１４、１７ａ、１７ｂ、２１３）と、
前記第１貯湯槽（１ａ）内もしくは前記第２貯湯槽（１ｂ）内の湯が前記給湯配管（１３、１４、１７ａ、１７ｂ、２１３）を通って前記両貯湯槽（１ａ、１ｂ）外で消費されるときには、前記第２貯湯槽（１ｂ）の最下部に水を供給する給水配管（１２）とを備える貯湯式給湯装置であって、
前記第２循環回路（４３ａ）は、前記第２循環回路（４３ａ）を流れ、前記第２貯湯槽（１ｂ）内に戻る前記中温の湯を、前記第２貯湯槽（１ｂ）内の高温の湯と水との間に戻す構成であるとともに、前記給湯配管（１３、１４、１７ａ、１７ｂ、２１３）は、前記第１貯湯槽（１ａ）内もしくは前記第２貯湯槽（１ｂ）内の湯が前記給湯配管（１３、１４、１７ａ、１７ｂ、２１３）を通って前記両貯湯槽（１ａ、１ｂ）外で消費されるときには、前記第２循環回路（４３ａ）から前記第２貯湯槽（１ｂ）内に戻された前記高温の湯と水との間よりも上方の部位に設けられた上流側端部（１４ａ、１４ｂ、１４ｃ）から前記第２貯湯槽（１ｂ）内の湯を出湯させるように構成したことを特徴とする貯湯式給湯装置。
【請求項８】
前記第２貯湯槽（１ｂ）は、その高さ方向において前記第２循環回路（４３ａ）の下流側端部（４２ａ、４２ｂ、４２ｃ）を複数に分けて接続しており、これら複数の下流側端部（４２ａ、４２ｂ、４２ｃ）のうち、前記第２貯湯槽（１ｂ）内において前記下流側端部（４２ａ、４２ｂ、４２ｃ）を接続した部位の湯温が、前記第２循環回路（４３ａ）を前記第２貯湯槽（１ｂ）内に戻る前記中温の湯の湯温とほぼ同一である前記下流側端部（４２ａ、４２ｂ、４２ｃ）より、前記第２貯湯槽（１ｂ）内に前記中温の湯を戻す構成であるとともに、前記第２貯湯槽（１ｂ）の高さ方向において前記給湯配管（１３、１４、１７ａ、１７ｂ、２１３）の前記上流側端部（１４ａ、１４ｂ、１４ｃ）を複数に分けて接続しており、これら複数の前記上流側端部（１４ａ、１４ｂ、１４ｃ）のうち、前記第２貯湯槽（１ｂ）内において前記上流側端部（１４ａ、１４ｂ、１４ｃ）を接続した部位が、前記下流側端部（４２ａ、４２ｂ、４２ｃ）を接続した部位よりも上方の部位に接続された前記上流側端部（１４ａ、１４ｂ、１４ｃ）から前記第２貯湯槽（１ｂ）内の湯を出湯させるように構成したことを特徴とする請求項７に記載の貯湯式給湯装置。
【請求項９】
前記給湯配管（１３、１４、１７ａ、１７ｂ、２１３）は、前記上流側端部（１４ａ、１４ｂ、１４ｃ）を複数に分けて前記第１貯湯槽（１ａ）の最上部および前記第２貯湯槽（１ｂ）内の高さ方向に接続しており、これら複数の前記上流側端部（１４ａ、１４ｂ、１４ｃ）のうち、前記両貯湯槽（１ａ、１ｂ）内において前記上流側端部（１４ａ、１４ｂ、１４ｃ）を接続した部位の湯温が、前記両貯湯槽（１ａ、１ｂ）外で消費される湯の必要温度以上である前記上流側端部（１４ａ、１４ｂ、１４ｃ）より、選択的に出湯される構成であることを特徴とする請求項７または請求項８に記載の貯湯式給湯装置。
【請求項１０】
前記給湯配管（１３、１４、１７ａ、１７ｂ、２１３）には、前記両貯湯槽（１ａ、１ｂ）外で消費される湯の必要温度を調節する第１、第２混合弁（１６ａ、１６ｂ）と必要温度以上の湯を調節する第３混合弁（１６ｃ）とが設けられ、前記第３混合弁（１６ｃ）は、前記上流側端部（１４ａ、１４ｂ、１４ｃ）から出湯される湯のうち、前記第１貯湯槽（１ａ）内もしくは前記第２貯湯槽（１ｂ）内の最上部に貯えられた高温の湯と、前記第２循環回路（４３ａ）から前記第２貯湯槽（１ｂ）内に戻された前記下流側端部（４２ａ、４２ｂ、４２ｃ）を接続した部位よりも上方の部位に接続された前記上流側端部（１４ａ、１４ｂ、１４ｃ）から出湯される湯とを混合させて前記両貯湯槽（１ａ、１ｂ）外で消費される湯の必要温度以上の湯に温度調節して前記第１、第２混合弁（１６ａ、１６ｂ）に供給することを特徴とする請求項７ないし請求項９のいずれか一つに記載の貯湯式給湯装置。
【請求項１１】
前記被加熱物は、床暖房ユニット（８０）、暖房器、または乾燥器の熱媒体であり、前記熱交換手段（８１）は、前記第２循環回路（４３ａ）を流れる前記高温の湯と前記熱媒体とを熱交換する熱交換器であることを特徴とする請求項８ないし請求項１０のいずれか一つに記載の貯湯式給湯装置。
【請求項１２】
前記ヒートポンプユニット（２）は、冷媒が二酸化炭素であることを特徴とする請求項８ないし請求項１１のいずれか１つに記載の貯湯式給湯装置。
【請求項１３】
給湯用の湯を内部に貯える第１貯湯槽（１ｃ）と、
前記第１貯湯槽（１ｃ）内の最下部の水を、前記第１貯湯槽（１ｃ）内の最上部に送る第１循環回路（２０ｂ）と、
前記第１循環回路（２０ｂ）に設けられ、前記第１循環回路（２０ｂ）を流れる水を加熱して高温の湯とする第１ヒートポンプユニット（２）と、
給湯用の湯を内部に貯える第２貯湯槽（１ｄ）と、
前記第２貯湯槽（１ｄ）内の最下部の水を、前記第２貯湯槽（１ｄ）内の最上部に送る第２循環回路（２０ｃ）と、
前記第２循環回路（２０ｃ）に設けられ、前記第２循環回路（２０ｃ）を流れる水を加熱して高温の湯とする第２ヒートポンプユニット（２）と、
前記第２ヒートポンプユニット（２）により加熱され前記第２貯湯槽（１ｄ）内の最上部に貯えられた高温の湯を、循環して前記第２貯湯槽（１ｄ）内の最下部に戻す第３循環回路（４３ｂ）と、
前記第３循環回路（４３ｂ）に設けられ、前記第３循環回路（４３ｂ）を流れる高温の湯と被加熱物とを熱交換して、前記第３循環回路（４３ｂ）を流れる高温の湯を中温の湯とする熱交換手段（８１）と、
前記第１貯湯槽（１ｃ）内もしくは前記第２貯湯槽（１ｄ）内の湯が両貯湯槽（１ｃ、１ｄ）外で消費されるときには、前記第１貯湯槽（１ｃ）内もしくは前記第２貯湯槽（１ｄ）内の湯を前記両貯湯槽（１ｃ、１ｄ）外に送る給湯配管（１３、１４、１７ａ、１７ｂ、２１３）と、
前記第１貯湯槽（１ｃ）内の湯が前記給湯配管（１３、１４、１７ａ、１７ｂ、２１３）を通って前記両貯湯槽（１ｃ、１ｄ）外で消費されるときには、前記第１貯湯槽（１ｃ）の最下部に水を供給するとともに、前記第２貯湯槽（１ｄ）内の湯が前記給湯配管（１３、１４、１７ａ、１７ｂ、２１３）を通って前記両貯湯槽（１ｃ、１ｄ）外で消費されるときには、前記第２貯湯槽（１ｄ）の最下部に水を供給する給水配管（１２）とを備える貯湯式給湯装置であって、
前記第３循環回路（４３ｂ）は、前記第３循環回路（４３ｂ）を流れ、前記第２貯湯槽（１ｄ）内に戻る前記中温の湯を、前記第２貯湯槽（１ｄ）内の高温の湯と水との間に戻す構成であるとともに、前記給湯配管（１３、１４、１７ａ、１７ｂ、２１３）は、前記第１貯湯槽（１ｃ）内もしくは前記第２貯湯槽（１ｄ）内の湯が前記給湯配管（１３、１４、１７ａ、１７ｂ、２１３）を通って前記両貯湯槽（１ｃ、１ｄ）外で消費されるときには、前記第３循環回路（４３ｂ）から前記第２貯湯槽（１ｄ）内に戻された前記高温の湯と水との間よりも上方の部位に設けられた上流側端部（１４ａ、１４ｂ、１４ｃ）から前記第２貯湯槽（１ｄ）内の湯を出湯させるように構成したことを特徴とする貯湯式給湯装置。
【請求項１４】
前記第２貯湯槽（１ｄ）は、その高さ方向において前記第３循環回路（４３ｂ）の下流側端部（４２ａ、４２ｂ、４２ｃ）を複数に分けて接続しており、これら複数の下流側端部（４２ａ、４２ｂ、４２ｃ）のうち、前記第２貯湯槽（１ｄ）内において前記下流側端部（４２ａ、４２ｂ、４２ｃ）を接続した部位の湯温が、前記第３循環回路（４３、４４、４５、４６）を前記第２貯湯槽（１ｄ）内に戻る前記中温の湯の湯温とほぼ同一である前記下流側端部（４２ａ、４２ｂ、４２ｃ）より、前記第２貯湯槽（１ｄ）内に前記中温の湯を戻す構成であるとともに、前記第２貯湯槽（１ｄ）の高さ方向において前記給湯配管（１３、１４、１７ａ、１７ｂ、２１３）の前記上流側端部（１４ａ、１４ｂ、１４ｃ）を複数に分けて接続しており、これら複数の前記上流側端部（１４ａ、１４ｂ、１４ｃ）のうち、前記第２貯湯槽（１ｄ）内において前記上流側端部（１４ａ、１４ｂ、１４ｃ）を接続した部位が、前記下流側端部（４２ａ、４２ｂ、４２ｃ）を接続した部位よりも上方の部位に接続された前記上流側端部（１４ａ、１４ｂ、１４ｃ）から前記第２貯湯槽（１ｄ）内の湯を出湯させるように構成したことを特徴とする請求項１３に記載の貯湯式給湯装置。
【請求項１５】
前記給湯配管（１３、１４、１７ａ、１７ｂ、２１３）は、前記上流側端部（１４ａ、１４ｂ、１４ｃ）を複数に分けて前記第１貯湯槽（１ｃ）の最上部および前記第２貯湯槽（１ｄ）内の高さ方向に接続しており、これら複数の前記上流側端部（１４ａ、１４ｂ、１４ｃ）のうち、前記両貯湯槽（１ｃ、１ｄ）内において前記上流側端部（１４ａ、１４ｂ、１４ｃ）を接続した部位の湯温が、前記両貯湯槽（１ｃ、１ｄ）外で消費される湯の必要温度以上である前記上流側端部（１４ａ、１４ｂ、１４ｃ）より、選択的に出湯される構成であることを特徴とする請求項１３または請求項１４に記載の貯湯式給湯装置。
【請求項１６】
前記給湯配管（１３、１４、１７ａ、１７ｂ、２１３）には、前記両貯湯槽（１ｃ、１ｄ）外で消費される湯の必要温度を調節する第１、第２混合弁（１６ａ、１６ｂ）と必要温度以上の湯を調節する第３混合弁（１６ｃ）とが設けられ、前記第３混合弁（１６ｃ）は、前記上流側端部（１４ａ、１４ｂ、１４ｃ）から出湯される湯のうち、前記第１貯湯槽（１ｃ）内もしくは前記第２貯湯槽（１ｄ）内の最上部に貯えられた高温の湯と、前記第３循環回路（４３ｂ）から前記第２貯湯槽（１ｄ）内に戻された前記下流側端部（４２ａ、４２ｂ、４２ｃ）を接続した部位よりも上方の部位に接続された前記上流側端部（１４ａ、１４ｂ、１４ｃ）から出湯される湯とを混合させて前記両貯湯槽（１ｃ、１ｄ）外で消費される湯の必要温度以上の湯に温度調節して前記第１、第２混合弁（１６ａ、１６ｂ）に供給することを特徴とする請求項１３ないし請求項１５のいずれか一つに記載の貯湯式給湯装置。
【請求項１７】
前記被加熱物は、床暖房ユニット（８０）、暖房器、または乾燥器の熱媒体であり、前記熱交換手段（８１）は、前記第３循環回路（４３ｂ）を流れる前記高温の湯と前記熱媒体とを熱交換する熱交換器であることを特徴とする請求項１３ないし請求項１６のいずれか一つに記載の貯湯式給湯装置。
【請求項１８】
前記第１、第２ヒートポンプユニット（２）は、冷媒が二酸化炭素であることを特徴とする請求項１３ないし請求項１７のいずれか１つに記載の貯湯式給湯装置。
【発明の詳細な説明】
【０００１】
【発明の属する技術分野】
本発明は、ヒートポンプユニットにより加熱した給湯用の湯を貯える貯湯槽を備える貯湯式給湯装置に関するものであり、特に、貯えられた湯を利用して給湯の他に暖房器を備えたときの給湯配管の構成に関する。
【０００２】
【従来の技術】
従来、この種の貯湯式給湯装置として、例えば、特開２００２−１２２３５１号公報に記載したものが開示されている。この公報では、図４に示すように、給湯用の湯を内部に貯える貯湯槽１００と、この貯湯槽１００内の最下部の水を貯湯槽１００内の最上部に送る第１循環回路１１０と、この第１循環回路１１０を流れる水を加熱して高温の湯とするヒートポンプユニット１２０と、このヒートポンプユニット１２０により加熱され貯湯槽１００内の最上部に貯えられた高温の湯を循環して貯湯槽１００内に戻す第２循環回路１３０と、この第２循環回路１３０を流れる高温の湯と被加熱物とを熱交換して第２循環回路１３０を流れる高温の湯を中温の湯とする熱交換手段１４０と、貯湯槽１００内の湯が貯湯槽１００外で消費されるときには、この貯湯槽１００内の湯を貯湯槽１００外に送る給湯配管１５０と、貯湯槽１００内の湯が給湯配管１５０を通って貯湯槽１００外で消費されるときには、貯湯槽１００内の最下部に水を供給する給水配管１６０とを備える貯湯式給湯装置である。
【０００３】
また、給湯配管１５０には給湯水栓１７０から出湯する出湯温度を調節する混合弁１８０が設けられ、この混合弁１８０により貯湯槽１００内の湯と給水配管１６０からの水とを混合させて給湯水栓１７０から必要とする出湯温度の給湯水を給湯するものである。
【０００４】
さらに、浴槽内の浴水を熱交換手段１４０に循環する第３循環回路１９０が設けられ、貯湯槽１００内の湯を熱源とする熱交換手段１４０によって浴水を追い焚きして浴槽内の浴水が保温されるものである。
【０００５】
【発明が解決しようとする課題】
しかしながら、この種の貯湯式給湯装置によれば、貯湯槽１００内の湯が給湯配管１５０を通って貯湯槽１００外で消費されるとき、すなわち、貯湯槽１００内の湯を給湯するときは、貯湯槽１００内の上方の湯が流出して貯湯槽１００内の最下部に給水配管１６０から水が供給するようになっているが、貯湯槽１００内の高温の湯を貯湯槽１００外に循環させて、浴水の追い焚きなどの熱源として利用し、熱交換の終了した中温の湯を貯湯槽１００内に戻す構成とした場合に、例えば、熱交換を行っているときに給湯が行われると、貯湯槽１００内の最下部には中温の湯と水とが供給され混合される。
【０００６】
すると、ヒートポンプユニットを作動して高温の湯を貯湯しようとするときに、中温の湯と水とが混合された湯をヒートポンプユニットで加熱することとなる。従って、水だけをヒートポンプユニットで加熱する場合よりも熱交換効率が悪化し、高温の湯を沸き上げる性能が低下する問題がある。
【０００７】
そこで、本発明の目的は、上記点を鑑みたものであり、貯湯槽内の高温の湯を給湯と熱交換の熱源として利用する貯湯式給湯装置であっても、ヒートポンプユニットの沸き上げ性能が低下することを防止することが可能な貯湯式給湯装置を提供することにある。
【０００８】
【課題を解決するための手段】
上記、目的を達成するために、請求項１ないし請求項１８に記載の技術的手段を採用する。すなわち、請求項１に記載の発明では、給湯用の湯を内部に貯える貯湯槽（１）と、この貯湯槽（１）内の最下部の水を、貯湯槽（１）内の最上部に送る第１循環回路（２０）と、この第１循環回路（２０）に設けられ、第１循環回路（２０）を流れる水を加熱して高温の湯とするヒートポンプユニット（２）と、このヒートポンプユニット（２）により加熱され貯湯槽（１）内の最上部に貯えられた高温の湯を、循環して貯湯槽（１）内に戻す第２循環回路（４３）と、この第２循環回路（４３）に設けられ、第２循環回路（４３）を流れる高温の湯と被加熱物とを熱交換して、第２循環回路（４３）を流れる高温の湯を中温の湯とする熱交換手段（８１）と、貯湯槽（１）内の湯が貯湯槽（１）外で消費されるときには、貯湯槽（１）内の湯を貯湯槽（１）外に送る給湯配管（１３、１４、１７ａ、１７ｂ）と、貯湯槽（１）内の湯が給湯配管（１３、１４、１７ａ、１７ｂ）を通って貯湯槽（１）外で消費されるときには、貯湯槽（１）内の最下部に水を供給する給水配管（１２）とを備える貯湯式給湯装置であって、
第２循環回路（４３）は、第２循環回路（４３）を流れ、貯湯槽（１）内に戻る中温の湯を、貯湯槽（１）内の高温の湯と水との間に戻す構成であるとともに、給湯配管（１３、１４、１７ａ、１７ｂ）は、貯湯槽（１）内の湯が給湯配管（１３、１４、１７ａ、１７ｂ）を通って貯湯槽（１）外で消費されるときには、第２循環回路（４３）から貯湯槽（１）内に戻された高温の湯と水との間よりも上方の部位に設けられた上流側端部（１４ａ、１４ｂ、１４ｃ）から貯湯槽（１）内の湯を出湯させるように構成したことを特徴としている。
【０００９】
請求項１に記載の発明によれば、まず、熱交換手段（８１）により熱交換され第２循環回路（４３）から貯湯槽（１）内に戻る中温の湯は、貯湯槽（１）内において高温の湯の下側、かつ水の上側に戻され、温度の異なる水の比重差により、貯湯槽（１）内において中温の湯と水とが混合し難い。従って、ヒートポンプユニット（２）は、貯湯槽（１）の最下部にある水から優先的に加熱する。このようにして、ヒートポンプユニット（２）の沸き上げ性能が低下することを防止することが可能となる。
【００１０】
また、給湯配管（１３、１４、１７ａ、１７ｂ）を貯湯槽（１）内に戻された高温の湯と水との間よりも上方の部位に設けられた上流側端部（１４ａ、１４ｂ、１４ｃ）から貯湯槽（１）内の湯を出湯させるように構成したことにより、貯湯槽（１）外に消費されるときに、中温の湯の下限域が上方に移動しても上流側端部（１４ａ、１４ｂ、１４ｃ）から中温の湯を確実に出湯させることができる。
【００１１】
また、上記中温の湯を貯湯槽（１）内へ戻す吐出口と給湯配管（１３、１４、１７ａ、１７ｂ）の上流側端部（１４ａ、１４ｂ、１４ｃ）との間には、確実に中温の湯の貯める層が形成できるため、貯湯槽（１）外に消費されるときに中温の湯の下限域が上方に移動しても中温水の出湯を多くすることができる。従って、高温の湯の出湯を抑制し中温の湯を積極的に出湯することができるため貯湯槽（１）の容量を小型化とすることが可能である。
【００１２】
さらに、ヒートポンプユニット（２）の電源を、例えば、深夜時間帯の深夜電力を用いる貯湯式給湯装置においては、高温の湯の出湯を抑制することができるため昼間時間帯における追加沸き上げ運転の運転時間の短縮化が図れる。
【００１３】
請求項２に記載の発明では、貯湯槽（１）は、その高さ方向において第２循環回路（４３）の下流側端部（４２ａ、４２ｂ、４２ｃ）を複数に分けて接続しており、これら複数の下流側端部（４２ａ、４２ｂ、４２ｃ）のうち、貯湯槽（１）内において下流側端部（４２ａ、４２ｂ、４２ｃ）を接続した部位の湯温が、第２循環回路（４３）を貯湯槽（１）内に戻る中温の湯の湯温とほぼ同一である下流側端部（４２ａ、４２ｂ、４２ｃ）より、貯湯槽（１）内に中温の湯を戻す構成であるとともに、貯湯槽（１）の高さ方向において給湯配管（１３、１４、１７ａ、１７ｂ）の上流側端部（１４ａ、１４ｂ、１４ｃ）を複数に分けて接続しており、これら複数の上流側端部（１４ａ、１４ｂ、１４ｃ）のうち、貯湯槽（１）内において上流側端部（１４ａ、１４ｂ、１４ｃ）を接続した部位が、下流側端部（４２ａ、４２ｂ、４２ｃ）を接続した部位よりも上方の部位に接続された上流側端部（１４ａ、１４ｂ、１４ｃ）から貯湯槽（１）内の湯を出湯させるように構成したことを特徴としている。
【００１４】
請求項２に記載の発明によれば、第２循環回路（４３）から貯湯槽（１）内に戻る中温の湯を確実に高温の湯と水との間に戻すことができる。さらに、中温の湯の温度に変動することがあったとしても、貯湯槽（１）内の湯の温度勾配を逆転して不要な混合が発生することを防止することが可能である。
【００１５】
また、上流側端部（１４ａ、１４ｂ、１４ｃ）が下流側端部（４２ａ、４２ｂ、４２ｃ）を接続した部位よりも上方の部位に接続されたことにより、確実に中温の湯を出湯することができる。これにより、高温の湯よりも積極的に中温の湯の出湯を多くすることができる。
【００１６】
請求項３に記載の発明では、給湯配管（１３、１４、１７ａ、１７ｂ）は、貯湯槽（１）内において上流側端部（１４ａ、１４ｂ、１４ｃ）を接続した部位の湯温が、貯湯槽（１）外で消費される湯の必要温度以上である上流側端部（１４ａ、１４ｂ、１４ｃ）より、選択的に出湯される構成であることを特徴としている。
【００１７】
請求項３に記載の発明によれば、高温の湯ばかりでなく第２循環回路（４３）から貯湯槽（１）内に戻った中温の湯も出湯することが可能となる。従って、給湯先の必要温度に応じて貯湯槽（１）内の湯を有効利用することができる。
【００１８】
請求項４に記載の発明では、給湯配管（１３、１４、１７ａ、１７ｂ）には、貯湯槽（１）外で消費される必要温度の湯を調節する第１、第２混合弁（１６ａ、１６ｂ）と必要温度以上の湯を調節する第３混合弁（１６ｃ）とが設けられ、この第３混合弁（１６ｃ）は、上流側端部（１４ａ、１４ｂ、１４ｃ）から出湯される湯のうち、貯湯槽（１）内の最上部に貯えられた高温の湯と、第２循環回路（４３）から貯湯槽（１）内に戻された下流側端部（４２ａ、４２ｂ、４２ｃ）を接続した部位よりも上方の部位に接続された上流側端部（１４ａ、１４ｂ、１４ｃ）から出湯される湯とを混合させて貯湯槽（１）外で消費される湯の必要温度以上の湯に調節して第１、第２混合弁（１６ａ、１６ｂ）に供給することを特徴としている。
【００１９】
請求項４に記載の発明によれば、具体的には、第１、第２混合弁（１６ａ、１６ｂ）の上流に必要温度以上の湯を調節する第３混合弁（１６ｃ）を設けることにより、貯湯槽（１）内の最上部に貯えられた高温の湯の出湯を抑制させ、かつ上流側端部（１４ａ、１４ｂ、１４ｃ）から中温の湯を積極的に出湯させることができる。
【００２０】
さらに、第２循環回路（４３）から貯湯槽（１）内に戻された中温の湯は、暫くは温度勾配があるために上流側端部から導出される湯温のバラツキが大きい。そこで、必要温度以上の高めの設定温度による混合を第３混合弁（１６ｃ）で調節することにより、第１、第２混合弁（１６ａ、１６ｂ）における出湯温度の安定が図れる。
【００２１】
請求項５に記載の発明では、被加熱物は、床暖房ユニット（８０）、暖房器、または乾燥器の熱媒体であり、熱交換手段（８１）は、第２循環回路（４３）を流れる高温の湯と熱媒体とを熱交換する熱交換器であることを特徴としている。
【００２２】
請求項５に記載の発明によれば、高温の湯と熱媒体とを熱交換する熱交換器であることにより、貯湯槽（１）内の給湯用の湯を熱源として利用することができるとともに、熱交換によって発生する中温の湯を積極的に給湯に利用できる。
【００２３】
請求項６に記載の発明では、ヒートポンプユニット（２）は、冷媒が二酸化炭素であることを特徴としている。
【００２４】
請求項６に記載の発明によれば、ヒートポンプユニット（２）の冷媒に二酸化炭素を採用すると、超臨界域を用いることで第１循環回路（２０）を流れる水を加熱する冷媒の温度（圧縮機からの吐出温度）を高くすることができる。従って、高温の湯を効率良く沸き上げることができる。
【００２５】
請求項７に記載の発明では、給湯用の湯を内部に貯える第１貯湯槽（１ａ）と、最上部を第１貯湯槽（１ａ）の最下部に連通し、給湯用の湯を内部に貯える第２貯湯槽（１ｂ）と、この第２貯湯槽（１ｂ）内の最下部の水を、第１貯湯槽（１ａ）内の最上部に送る第１循環回路（２０ａ）と、この第１循環回路（２０ａ）に設けられ、第１循環回路（２０ａ）を流れる水を加熱して高温の湯とするヒートポンプユニット（２）と、このヒートポンプユニット（２）により加熱され第１貯湯槽（１ａ）内の最上部に貯えられた高温の湯を、循環して第２貯湯槽（１ｂ）内の最下部に戻す第２循環回路（４３ａ）と、この第２循環回路（４３ａ）に設けられ、第２循環回路（４３ａ）を流れる高温の湯と被加熱物とを熱交換して、第２循環回路（４３ａ）を流れる高温の湯を中温の湯とする熱交換手段（８１）と、第１貯湯槽（１ａ）内もしくは第２貯湯槽（１ｂ）内の湯が両貯湯槽（１ａ、１ｂ）外で消費されるときには、第１貯湯槽（１ａ）内もしくは第２貯湯槽（１ｂ）内の湯を両貯湯槽（１ａ、１ｂ）外に送る給湯配管（１３、１４、１７ａ、１７ｂ、２１３）と、第１貯湯槽（１ａ）内もしくは第２貯湯槽（１ｂ）内の湯が給湯配管（１３、１４、１７ａ、１７ｂ、２１３）を通って両貯湯槽（１ａ、１ｂ）外で消費されるときには、第２貯湯槽（１ｂ）の最下部に水を供給する給水配管（１２）とを備える貯湯式給湯装置であって、
第２循環回路（４３ａ）は、この第２循環回路（４３ａ）を流れ、第２貯湯槽（１ｂ）内に戻る中温の湯を、第２貯湯槽（１ｂ）内の高温の湯と水との間に戻す構成であるとともに、給湯配管（１３、１４、１７ａ、１７ｂ、２１３）は、第１貯湯槽（１ａ）内もしくは第２貯湯槽（１ｂ）内の湯が給湯配管（１３、１４、１７ａ、１７ｂ、２１３）を通って両貯湯槽（１ａ、１ｂ）外で消費されるときには、第２循環回路（４３ａ）から第２貯湯槽（１ｂ）内に戻された高温の湯と水との間よりも上方の部位に設けられた上流側端部（１４ａ、１４ｂ、１４ｃ）から第２貯湯槽（１ｂ）内の湯を出湯させるように構成したことを特徴としている。
【００２６】
請求項７に記載の発明によれば、熱交換手段（８１）により熱交換された後の中温の湯は、第２貯湯槽（１ｂ）内の高温の湯と水との間に戻される。また、給湯のときに、給水配管（１２）から供給される水は第２貯湯槽（１ｂ）の最下部に供給される。従って、ヒートポンプユニット（２）は、第２貯湯槽（１ｂ）の最下部にある水から優先的に加熱する。このようにして、ヒートポンプユニット（２）の沸き上げ性能が低下することを防止することが可能となる。
【００２７】
また、給湯配管（１３、１４、１７ａ、１７ｂ、２１３）を第２貯湯槽（１ｂ）内に戻された高温の湯と水との間よりも上方の部位に設けられた上流側端部（１４ａ、１４ｂ、１４ｃ）から第２貯湯槽（１ｂ）内の湯を出湯させるように構成したことにより、両貯湯槽（１ａ、１ｂ）外に消費されるときに、中温の湯の下限域が上方に移動しても上流側端部から中温の湯を確実に出湯させることができる。
【００２８】
また、上記中温の湯を第２貯湯槽（１ｂ）内へ戻す吐出口と給湯配管（１３、１４、１７ａ、１７ｂ、２１３）の上流側端部（１４ａ、１４ｂ、１４ｃ）との間には、確実に中温の湯の貯める層が形成できるため、両貯湯槽（１ａ、１ｂ）外に消費されるときに中温の湯の下限域が上方に移動しても中温水の出湯を多くすることができる。従って、高温の湯の出湯を抑制し中温の湯を積極的に出湯することができるため両貯湯槽（１ａ、１ｂ）の容量を小型化とすることが可能である。
【００２９】
さらに、ヒートポンプユニット（２）の電源を、例えば、深夜時間帯の深夜電力を用いる貯湯式給湯装置においては、高温の湯の出湯を抑制することができるため昼間時間帯における追加沸き上げ運転の運転時間の短縮化が図れる。
【００３０】
請求項８に記載の発明では、第２貯湯槽（１ｂ）は、その高さ方向において第２循環回路（４３ａ）の下流側端部（４２ａ、４２ｂ、４２ｃ）を複数に分けて接続しており、これら複数の下流側端部（４２ａ、４２ｂ、４２ｃ）のうち、第２貯湯槽（１ｂ）内において下流側端部（４２ａ、４２ｂ、４２ｃ）を接続した部位の湯温が、第２循環回路（４３ａ）を第２貯湯槽（１ｂ）内に戻る中温の湯の湯温とほぼ同一である下流側端部（４２ａ、４２ｂ、４２ｃ）より、第２貯湯槽（１ｂ）内に中温の湯を戻す構成であるとともに、第２貯湯槽（１ｂ）の高さ方向において給湯配管（１３、１４、１７ａ、１７ｂ、２１３）の上流側端部（１４ａ、１４ｂ、１４ｃ）を複数に分けて接続しており、これら複数の上流側端部（１４ａ、１４ｂ、１４ｃ）のうち、第２貯湯槽（１ｂ）内において上流側端部（１４ａ、１４ｂ、１４ｃ）を接続した部位が、下流側端部（４２ａ、４２ｂ、４２ｃ）を接続した部位よりも上方の部位に接続された上流側端部（１４ａ、１４ｂ、１４ｃ）から第２貯湯槽（１ｂ）内の湯を出湯させるように構成したことを特徴としている。
【００３１】
請求項８に記載の発明によれば、第２循環回路（４３ａ）から第２貯湯槽（１ｂ）内に戻る中温の湯を確実に高温の湯と水との間に戻すことができる。さらに、中温の湯の温度に変動することがあったとしても、第２貯湯槽（１ｂ）内の湯の温度勾配を逆転して不要な混合が発生することを防止することが可能である。
【００３２】
また、上流側端部（１４ａ、１４ｂ、１４ｃ）が下流側端部（４２ａ、４２ｂ、４２ｃ）を接続した部位よりも上方の部位に接続されたことにより、確実に中温の湯を出湯することができる。これにより、高温の湯よりも積極的に中温の湯の出湯を多くすることができる。
【００３３】
請求項９に記載の発明では、給湯配管（１３、１４、１７ａ、１７ｂ、２１３）は、上流側端部（１４ａ、１４ｂ、１４ｃ）を複数に分けて第１貯湯槽（１ａ）の最上部および第２貯湯槽（１ｂ）内の高さ方向に接続しており、これら複数の上流側端部（１４ａ、１４ｂ、１４ｃ）のうち、両貯湯槽（１ａ、１ｂ）内において上流側端部（１４ａ、１４ｂ、１４ｃ）を接続した部位の湯温が、両貯湯槽（１ａ、１ｂ）外で消費される湯の必要温度以上である上流側端部（１４ａ、１４ｂ、１４ｃ）より、選択的に出湯される構成であることを特徴としている。
【００３４】
請求項９に記載の発明によれば、高温の湯ばかりでなく第２循環回路（４３ａ）から第２貯湯槽（１ｂ）内に戻った中温の湯も出湯することが可能となる。従って、給湯先の必要温度に応じて両貯湯槽（１ａ、１ｂ）内の湯を有効利用することができる。
【００３５】
請求項１０に記載の発明では、給湯配管（１３、１４、１７ａ、１７ｂ、２１３）には、両貯湯槽（１ａ、１ｂ）外で消費される湯の必要温度を調節する第１、第２混合弁（１６ａ、１６ｂ）と必要温度以上の湯を調節する第３混合弁（１６ｃ）とが設けられ、第３混合弁（１６ｃ）は、上流側端部（１４ａ、１４ｂ、１４ｃ）から出湯される湯のうち、第１貯湯槽（１ａ）内もしくは第２貯湯槽（１ｂ）内の最上部に貯えられた高温の湯と、第２循環回路（４３ａ）から第２貯湯槽（１ｂ）内に戻された下流側端部（４２ａ、４２ｂ、４２ｃ）を接続した部位よりも上方の部位に接続された上流側端部（１４ａ、１４ｂ、１４ｃ）から出湯される湯とを混合させて両貯湯槽（１ａ、１ｂ）外で消費される湯の必要温度以上の湯に温度調節して第１、第２混合弁（１６ａ、１６ｂ）に供給することを特徴としている。
【００３６】
請求項１０に記載の発明によれば、具体的には、第１、第２混合弁（１６ａ、１６ｂ）の上流に必要温度以上の湯を調節する第３混合弁（１６ｃ）を設けることにより、第１貯湯槽（１ａ）内および第２貯湯槽（１ｂ）内の最上部に貯えられた高温の湯の出湯を抑制させ、かつ上流側端部（１４ａ、１４ｂ、１４ｃ）から中温の湯を積極的に出湯させることができる。
【００３７】
さらに、第２循環回路（４３ａ）から第２貯湯槽（１ｂ）内に戻された中温の湯は、暫くは温度勾配があるために上流側端部（１４ａ、１４ｂ、１４ｃ）から導出される湯温のバラツキが大きい。そこで、必要温度以上の高めの設定温度による混合を第３混合弁（１６ｃ）で調節することにより、第１、第２混合弁（１６ａ、１６ｂ）における出湯温度の安定が図れる。
【００３８】
請求項１１に記載の発明では、被加熱物は、床暖房ユニット（８０）、暖房器、または乾燥器の熱媒体であり、熱交換手段（８１）は、第２循環回路（４３ａ）を流れる高温の湯と熱媒体とを熱交換する熱交換器であることを特徴としている。
【００３９】
請求項１１に記載の発明によれば、高温の湯と熱媒体とを熱交換する熱交換器であることにより、両貯湯槽（１ａ、１ｂ）内の給湯用の湯を熱源として利用することができるとともに、熱交換によって発生する中温の湯を積極的に給湯に利用できる。
【００４０】
請求項１２に記載の発明では、ヒートポンプユニット（２）は、冷媒が二酸化炭素であることを特徴としている。
【００４１】
請求項１２に記載の発明によれば、ヒートポンプユニット（２）の冷媒に二酸化炭素を採用すると、超臨界域を用いることで第１循環回路（２０）を流れる水を加熱する冷媒の温度（圧縮機からの吐出温度）を高くすることができる。従って、高温の湯を効率良く沸き上げることができる。
【００４２】
請求項１３に記載の発明では、給湯用の湯を内部に貯える第１貯湯槽（１ｃ）と、この第１貯湯槽（１ｃ）内の最下部の水を、第１貯湯槽（１ｃ）内の最上部に送る第１循環回路（２０ｂ）と、この第１循環回路（２０ｂ）に設けられ、第１循環回路（２０ｂ）を流れる水を加熱して高温の湯とする第１ヒートポンプユニット（２）と、給湯用の湯を内部に貯える第２貯湯槽（１ｄ）と、この第２貯湯槽（１ｄ）内の最下部の水を、第２貯湯槽（１ｄ）内の最上部に送る第２循環回路（２０ｃ）と、この第２循環回路（２０ｃ）に設けられ、第２循環回路（２０ｃ）を流れる水を加熱して高温の湯とする第２ヒートポンプユニット（２）と、この第２ヒートポンプユニット（２）により加熱され第２貯湯槽（１ｄ）内の最上部に貯えられた高温の湯を、循環して第２貯湯槽（１ｄ）内の最下部に戻す第３循環回路（４３ｂ）と、この第３循環回路（４３ｂ）に設けられ、第３循環回路（４３ｂ）を流れる高温の湯と被加熱物とを熱交換して、第３循環回路（４３ｂ）を流れる高温の湯を中温の湯とする熱交換手段（８１）と、第１貯湯槽（１ｃ）内もしくは第２貯湯槽（１ｄ）内の湯が両貯湯槽（１ｃ、１ｄ）外で消費されるときには、第１貯湯槽（１ｃ）内もしくは第２貯湯槽（１ｄ）内の湯を両貯湯槽（１ｃ、１ｄ）外に送る給湯配管（１３、１４、１７ａ、１７ｂ、２１３）と、第１貯湯槽（１ｃ）内の湯が給湯配管（１３、１４、１７ａ、１７ｂ、２１３）を通って両貯湯槽（１ｃ、１ｄ）外で消費されるときには、第１貯湯槽（１ｃ）の最下部に水を供給するとともに、第２貯湯槽（１ｄ）内の湯が給湯配管（１３、１４、１７ａ、１７ｂ、２１３）を通って両貯湯槽（１ｃ、１ｄ）外で消費されるときには、第２貯湯槽（１ｄ）の最下部に水を供給する給水配管（１２）とを備える貯湯式給湯装置であって、
第３循環回路（４３ｂ）は、第３循環回路（４３ｂ）を流れ、第２貯湯槽（１ｄ）内に戻る中温の湯を、第２貯湯槽（１ｄ）内の高温の湯と水との間に戻す構成であるとともに、給湯配管（１３、１４、１７ａ、１７ｂ、２１３）は、第１貯湯槽（１ｃ）内もしくは第２貯湯槽（１ｄ）内の湯が給湯配管（１３、１４、１７ａ、１７ｂ、２１３）を通って両貯湯槽（１ｃ、１ｄ）外で消費されるときには、前記第３循環回路（４３ｂ）から前記第２貯湯槽（１ｄ）内に戻された前記高温の湯と水との間よりも上方の部位に設けられた上流側端部（１４ａ、１４ｂ、１４ｃ）から前記第２貯湯槽（１ｄ）内の湯を出湯させるように構成したことを特徴としている。
【００４３】
請求項１３に記載の発明によれば、熱交換手段（８１）により熱交換された後の中温の湯は、第２貯湯槽（１ｄ）内の高温の湯と水との間に戻される。また、給湯のときに、給水配管（１２）から供給される水は第２貯湯槽（１ｄ）の最下部に供給される。従って、第２ヒートポンプユニット（２）は、第２貯湯槽（１ｄ）の最下部にある水から優先的に加熱する。このようにして、第２ヒートポンプユニット（２）の沸き上げ性能が低下することを防止することが可能となる。
【００４４】
また、給湯配管（１３、１４、１７ａ、１７ｂ、２１３）を第２貯湯槽（１ｄ）内に戻された高温の湯と水との間よりも上方の部位に設けられた上流側端部（１４ａ、１４ｂ、１４ｃ）から第２貯湯槽（１ｄ）内の湯を出湯させるように構成したことにより、両貯湯槽（１ｃ、１ｄ）外に消費されるときに、中温の湯の下限域が上方に移動しても上流側端部から中温の湯を確実に出湯させることができる。
【００４５】
また、上記中温の湯を第２貯湯槽（１ｄ）内へ戻す吐出口と給湯配管（１３、１４、１７ａ、１７ｂ、２１３）の上流側端部（１４ａ、１４ｂ、１４ｃ）との間には、確実に中温の湯の貯める層が形成できるため、両貯湯槽（１ｃ、１ｄ）外に消費されるときに中温の湯の下限域が上方に移動しても中温水の出湯を多くすることができる。従って、高温の湯の出湯を抑制し中温の湯を積極的に出湯することができるため両貯湯槽（１ｃ、１ｄ）の容量を小型化とすることが可能である。
【００４６】
さらに、第２ヒートポンプユニット（２）の電源を、例えば、深夜時間帯の深夜電力を用いる貯湯式給湯装置においては、高温の湯の出湯を抑制することができるため昼間時間帯における追加沸き上げ運転の運転時間の短縮化が図れる。
【００４７】
請求項１４に記載の発明では、第２貯湯槽（１ｄ）は、その高さ方向において第３循環回路（４３ｂ）の下流側端部（４２ａ、４２ｂ、４２ｃ）を複数に分けて接続しており、これら複数の下流側端部（４２ａ、４２ｂ、４２ｃ）のうち、第２貯湯槽（１ｄ）内において下流側端部（４２ａ、４２ｂ、４２ｃ）を接続した部位の湯温が、第３循環回路（４３、４４、４５、４６）を第２貯湯槽（１ｄ）内に戻る中温の湯の湯温とほぼ同一である下流側端部（４２ａ、４２ｂ、４２ｃ）より、第２貯湯槽（１ｄ）内に中温の湯を戻す構成であるとともに、第２貯湯槽（１ｄ）の高さ方向において給湯配管（１４ａ、１４ｂ、１７、１７ａ）の上流側端部（１４ａ、１４ｂ、１４ｃ）を複数に分けて接続しており、これら複数の上流側端部（１４ａ、１４ｂ、１４ｃ）のうち、第２貯湯槽（１ｄ）内において上流側端部（１４ａ、１４ｂ、１４ｃ）を接続した部位が、下流側端部（４２ａ、４２ｂ、４２ｃ）を接続した部位よりも上方の部位に接続された上流側端部（１４ａ、１４ｂ、１４ｃ）から第２貯湯槽（１ｄ）内の湯を出湯させるように構成したことを特徴としている。
【００４８】
請求項１４に記載の発明によれば、第３循環回路（４３ｂ）から第２貯湯槽（１ｄ）内に戻る中温の湯を確実に高温の湯と水との間に戻すことができる。さらに、中温の湯の温度に変動することがあったとしても、第２貯湯槽（１ｄ）内の湯の温度勾配を逆転して不要な混合が発生することを防止することが可能である。
【００４９】
また、上流側端部（１４ａ、１４ｂ、１４ｃ）が下流側端部（４２ａ、４２ｂ、４２ｃ）を接続した部位よりも上方の部位に接続されたことにより、確実に中温の湯を出湯することができる。これにより、高温の湯よりも積極的に中温の湯の出湯を多くすることができる。
【００５０】
請求項１５に記載の発明では、給湯配管（１３、１４、１７ａ、１７ｂ、２１３）は、上流側端部（１４ａ、１４ｂ、１４ｃ）を複数に分けて第１貯湯槽（１ｃ）の最上部および第２貯湯槽（１ｄ）内の高さ方向に接続しており、これら複数の上流側端部（１４ａ、１４ｂ、１４ｃ）のうち、両貯湯槽（１ｃ、１ｄ）内において上流側端部（１４ａ、１４ｂ、１４ｃ）を接続した部位の湯温が、両貯湯槽（１ｃ、１ｄ）外で消費される湯の必要温度以上である上流側端部（１４ａ、１４ｂ、１４ｃ）より、選択的に出湯される構成であることを特徴としている。
【００５１】
請求項１５に記載の発明によれば、高温の湯ばかりでなく第３循環回路（４３ｂ）から第２貯湯槽（１ｄ）内に戻った中温の湯も出湯することが可能となる。従って、給湯先の必要温度に応じて両貯湯槽（１ｃ、１ｄ）内の湯を有効利用することができる。
【００５２】
請求項１６に記載の発明では、給湯配管（１３、１４、１７ａ、１７ｂ、２１３）には、両貯湯槽（１ｃ、１ｄ）外で消費される湯の必要温度を調節する第１、第２混合弁（１６ａ、１６ｂ）と必要温度以上の湯を調節する第３混合弁（１６ｃ）とが設けられ、この第３混合弁（１６ｃ）は、上流側端部（１４ａ、１４ｂ、１４ｃ）から出湯される湯のうち、第１貯湯槽（１ｃ）内もしくは第２貯湯槽（１ｄ）内の最上部に貯えられた高温の湯と、第３循環回路（４３ｂ）から第２貯湯槽（１ｄ）内に戻された下流側端部を接続した部位よりも上方の部位に接続された上流側端部から出湯される湯とを混合させて両貯湯槽（１ｃ、１ｄ）外で消費される湯の必要温度以上の湯に温度調節して第１、第２混合弁（１６ａ、１６ｂ）に供給することを特徴としている。
【００５３】
請求項１６に記載の発明によれば、具体的には、第１、第２混合弁（１６ａ、１６ｂ）の上流に必要温度以上の湯を調節する第３混合弁（１６ｃ）を設けることにより、第１貯湯槽（１ｃ）内および第２貯湯槽（１ｄ）内の最上部に貯えられた高温の湯の出湯を抑制させ、かつ上流側端部から中温の湯を積極的に出湯させることができる。
【００５４】
さらに、第３循環回路（４３ｂ）から第２貯湯槽（１ｄ）内に戻された中温の湯は、暫くは温度勾配があるために上流側端部から導出される湯温のバラツキが大きい。そこで、必要温度以上の高めの設定温度による混合を第３混合弁（１６ｃ）で調節することにより、第１、第２混合弁（１６ａ、１６ｂ）における出湯温度の安定が図れる。
【００５５】
請求項１７に記載の発明では、被加熱物は、床暖房ユニット（８０）、暖房器、または乾燥器の熱媒体であり、熱交換手段（８１）は、第３循環回路（４３ｂ）を流れる高温の湯と熱媒体とを熱交換する熱交換器であることを特徴としている。
【００５６】
請求項１７に記載の発明によれば、高温の湯と熱媒体とを熱交換する熱交換器であることにより、両貯湯槽（１ｃ、１ｄ）内の給湯用の湯を熱源として利用することができるとともに、熱交換によって発生する中温の湯を積極的に給湯に利用できる。
【００５７】
請求項１８に記載の発明では、第１、第２ヒートポンプユニット（２）は、冷媒が二酸化炭素であることを特徴としている。
【００５８】
請求項１８に記載の発明によれば、第１、第２ヒートポンプユニット（２）の冷媒に二酸化炭素を採用すると、超臨界域を用いることで第１循環回路（２０）および第３循環回路（２０）を流れる水を加熱する冷媒の温度（圧縮機からの吐出温度）を高くすることができる。従って、高温の湯を効率良く沸き上げることができる。
【００５９】
なお、上記各手段の括弧内の符号は、後述する実施形態の具体的手段との対応関係を示すものである。
【００６０】
【発明の実施の形態】
（第１実施形態）
以下、本発明を適用した第１実施形態の貯湯式給湯装置を図１に基づいて説明する。図１は、貯湯式給湯装置の概略構成を示す模式図である。１は耐食性に優れた金属製（例えばステンレス製）の貯湯槽であり、外周部に図示しない断熱材が配置されており、高温の給湯用の湯を長時間に渡って保温することができるようになっている。貯湯槽１は縦長形状であり、その底面には導入口１２ａが設けられ、この導入口１２ａには貯湯槽１内の最下部に水道水を導入する給水配管である導入管１２が接続されている。
【００６１】
導入管１２には温度検出手段である給水サーミスタ３１が設けられており、導入管１２内の温度情報を後述する制御装置２００に出力するようになっている。また、導入管１２には導入される水道水の水圧が所定圧となるように調節する減圧弁３２が設けられている。そして、導入管１２の給水サーミスタ３１および減圧弁３２が設けられた位置より下流側と後述する混合弁１６ａ、１６ｂとはバイパス経路である配管１２ｂ、１２ｃにより繋がれている。
【００６２】
一方、貯湯槽１の最上部には導出口１３ａが設けられ、導出口１３ａには貯湯槽１内の湯を導出するための給湯経路である導出管１３が接続されている。また、貯湯槽１の側面部には給湯経路の上流側端部である複数（本例では３個）の導出口１４ａ、１４ｂ、１４ｃが設けられ、これらの導出口１４ａ、１４ｂ、１４ｃには貯湯槽１内の湯を導出するための給湯経路である導出管１４が接続されている。
【００６３】
また、導出管１４には複数（本例では二つ）の三方弁１５ｂ、１５ｃが設けられており、三方弁１５ｂの一方の入口側が下方に位置する導出口１４ａに連通され、もう一方の入口側が導出口１４ｂに連通され、出口側がもう一つの三方弁１５ｃの入口側と連通するように配設されている。三方弁１５ｃ側のもう一方の入口側が導出口１４ｃに連通され、出口側が後述する第３混合弁である中温水混合弁１６ｃの入口側と連通するように配設されている。この三方弁１５ｂ、１５ｃは中温水混合弁１６ｃの入口側に供給する湯温を選択するための切換弁であって複数の導出口１４ａ、１４ｂ、１４ｃの一つを選択するように後述する制御装置２００により制御される。なお、これらの導出口１４ａ、１４ｂ、１４ｃの配設位置については詳しくは後述する。
【００６４】
次に、第３混合弁である中温水混合弁１６ｃは、後述する第１、第２混合弁１６ａ、１６ｂの入口側に供給する湯温を調節する温度調節弁であって、導出管１３と導出管１４との合流点に配置されており、開口面積比を調節することにより、導出管１３からの湯と導出管１４からの湯との混合比を調節できるようになっている。因みに、この中温水混合弁１６ｃでは、設定温度が下流に設けた後述する第１、第２混合弁１６ａ、１６ｂの必要温度である設定温度よりも高めに設定されている。
【００６５】
具体的には、第１、第２混合弁１６ａ、１６ｂの設定温度が例えば４３℃を要求されるときには、この温度よりも３〜５℃程度以上となるように必要温度以上の高めに設定している。これにより、概して、高温の湯が導出される導出口１３ａよりも中温の湯が導出される導出口１４ａ、１４ｂ、１４ｃから積極的に導出させるようにしている。
【００６６】
そして、この中温水混合弁１６ｃの出口側には、給湯するときの出湯温度を設定温度に温度調節する第１、第２混合弁１６ａ、１６ｂが配設された給湯経路である配管１７ａ、１７ｂが接続されている。配管１７ａは、台所、洗面などの図示しない給湯水栓に通ずる給湯配管であり、配管１７ｂは浴室などの図示しない給湯水栓、シャワー、浴槽水栓などに通ずる給湯配管である。
【００６７】
また、配管１７ａ、１７ｂにはそれぞれ温度検出手段である給湯サーミスタ３３ａ、３３ｂおよび３４と給湯検出手段である流量カウンタ３５ａ、３５ｂとが設けられており、給湯サーミスタ３３ａ、３３ｂは配管１７ａ、１７ｂ内の温度情報を、流量カウンタ３５ａ、３５ｂは配管１７ａ、１７ｂ内の流量情報を後述する制御装置２００に出力するようになっている。
【００６８】
なお、給湯サーミスタ３４は、中温水混合弁１６ｃの出口側、つまり、第１、第２混合弁１６ａ、１６ｂのそれぞれ一方の入口側に供給する湯温の温度情報を後述する制御装置２００に出力するようになっている。また、導出管１３、１４、配管１７ａ、１７ｂからなる構成が、本実施形態における給湯配管である。
【００６９】
第１、第２混合弁１６ａ、１６ｂはともに、配管１７ａ、１７ｂの下流端に設けられた図示しない給湯水栓が開弁したときに、必要温度である設定温度に温度調節するための温度調節弁であって、開口面積比を調節することにより、中温水混合弁１６ｃからの混合された湯と配管１２ｂ、１２ｃからの水道水との混合比を調節できるようになっている。
【００７０】
なお、第１、第２混合弁１６ａ、１６ｂおよび中温水混合弁１６ｃはともにサーボモータ等の駆動源により弁体を駆動して各経路の開度を調節する電動弁であり、後述する制御装置２００からの制御信号により作動するとともに、作動状態を制御装置２００に出力するようになっている。
【００７１】
次に、貯湯槽１の下部には、貯湯槽１内の最下部の水を吸入するための吸入口１８が設けられ、貯湯槽１の上方には、貯湯槽１内の最上部に湯を吐出する吐出口１９が設けられている。吸入口１８と吐出口１９とは循環回路２０で接続されており、循環回路２０の一部はヒートポンプユニット２内に配置されている。
【００７２】
循環回路２０のヒートポンプユニット２内に配置された部分には、図示しない熱交換器が設けられており、吸入口１８から吸入した貯湯槽１内の水を高温の二酸化炭素冷媒との熱交換により加熱し、吐出口１９から貯湯槽１内に戻すことにより貯湯槽１内の水を沸き上げることができるようになっている。
【００７３】
本実施形態のように、ヒートポンプユニット２の冷媒に二酸化炭素を採用すると、超臨界域を用いることで図示しない圧縮機からの冷媒吐出温度を高くすることができる。従って、フロン冷媒等を採用した場合より高温の湯を効率良く沸き上げることが可能である。
【００７４】
また、ヒートポンプユニット２は、本実施形態における加熱手段であり、循環回路２０は本実施形態における第１循環回路である。なお、ヒートポンプユニット２は後述する制御装置２００からの制御信号により作動するとともに、作動状態を制御装置２００に出力するようになっている。
【００７５】
なお、本実施形態のヒートポンプユニット２は、おもに、電気使用料金の安い深夜時間帯の深夜電力の交流電源を用いて貯湯槽１内の湯を沸き上げる蓄熱運転を行っているが、昼間時間帯においても貯湯槽１内最上部の湯温が低下してくると沸き上げ運転を行なうよう制御される。
【００７６】
また、貯湯槽１の外壁面には複数（本例では８つ）の水位サーミスタ３６ａ、３６ｂ、３６ｃ、３６ｄ、３６ｅ、３６ｆ、３６ｇ、３６ｈが縦方向（貯湯槽１の高さ方向）にほぼ等間隔に配置され、貯湯槽１内に満たされた水の各水位レベルでの温度情報を後述する制御装置２００に出力するようになっている。従って、制御装置２００は、水位サーミスタ３６ａ〜３６ｈからの温度情報に基づいて、貯湯槽１内上方の沸き上げられた湯と貯湯槽１内下方の沸き上げられる前の水との境界位置を検出できるようになっている。
【００７７】
なお、水位サーミスタ３６ａは、貯湯槽１の最上部外壁面に設けられており、導出口１３ａや後述する吸入口４１に吸入される湯の温度である貯湯槽１内最上部の湯温を検出する出湯サーミスタの機能も有している。また、水位サーミスタ３６ｃは前述の導出口１４ｃとほぼ同一の高さ、水位サーミスタ３６ｅは導出口１４ｂとほぼ同一の高さ、および水位サーミスタ３６ｇは導出口１４ａとほぼ同一の高さに配置されている。これにより、導出口１４ａ、１４ｂ、１４ｃから導出される湯温を検出する出湯サーミスタの機能も有している。
【００７８】
次に、貯湯槽１の上方には、貯湯槽１内の最上部の湯を吸入するための吸入口４１が設けられ、貯湯槽１の中ほどから下方にかけて、貯湯槽１内に湯を吐出する複数（本例では三つ）の下流側端部である吐出口４２ａ、４２ｂ、４２ｃが設けられている。この吸入口４１と吐出口４２ａ、４２ｂ、４２ｃとは第２循環回路である循環回路４３で接続されており、循環回路４３の一部は熱交換手段である熱交換器８１内に配置されている。この熱交換器８１は対向流型の熱交換器であり、循環回路４３を流れる高温の湯と後述する循環回路８２を流れる被加熱物である熱媒体（本例では水）とを熱交換できるようになっている。
【００７９】
そして、循環回路４３の熱交換器８１が設けられた部位より下流側には、循環回路４３内に湯を循環するためのウォータポンプ４７と、温度検出手段である水温サーミスタ４８が設けられている。この水温サーミスタ４８は循環回路４３内の熱交換器８１による熱交換後の湯の温度情報を後述する制御装置２００に出力するようになっている。
【００８０】
また、循環回路４３の水温サーミスタ４８が設けられた部位より下流側には、複数（本例では二つ）の三方弁４９ａ、４９ｂが配設されており、三方弁４９ａの一方の出口側が下方に位置する吐出口４２ａに連通され、もう一方の出口側がもう一つの三方弁４９ｂの入口側に連通するように配設されている。そして、三方弁４９ｂは、一方の出口側が吐出口４２ｂに連通され、もう一方の出口側が吐出口４２ｃに連通するように配設されている。
【００８１】
この三方弁４９ａ、４９ｂは、熱交換器８１による熱交換後の中温の湯を複数の吐出口４２ａ、４２ｂ、４２ｃのうち一つを選択して貯湯槽１内に戻すための切換弁であって後述する制御装置２００により制御される。なお、吐出口４２ａ、４２ｂ、４２ｃは、図１に示すように、上述した水位サーミスタ３６ｄ、３６ｆ、３６ｈの近傍にそれぞれ設けられている。
【００８２】
ここで、貯湯槽１に設けられた循環回路４３の下流側端部である複数の吐出口４２ａ、４２ｂ、４２ｃと、給湯配管１３、１４、１７ａ、１７ｂの上流側端部である導出口１４ａ、１４ｂ、１４ｃとの位置関係について説明する。本実施形態では、図１に示すように、導出口１４ａ、１４ｂ、１４ｃを吐出口４２ａ、４２ｂ、４２ｃよりも上方に位置するように設けられている。これは、熱交換器８１により熱交換後の中温の湯をできるだけ高温の湯と水との間に戻すとともに、貯湯槽１内の湯を給湯配管１３、１４、１７ａ、１７ｂを通って貯湯槽１内に消費するときにできるだけ多くの中温の湯を導出させるように導出口１４ａ、１４ｂ、１４ｃを上方に設けたものである。
【００８３】
従って、熱交換器８１により中温の湯の層が形成された後に、貯湯槽１内の湯が外部に導出されると貯湯槽１内の最下部に導入管１２から水が供給されて中温の湯の層が上方に移動するが、導出口１４ａ、１４ｂ、１４ｃを上方に設けることにより中温の湯を多く導出することができる。
【００８４】
次に、８０は床暖房ユニットであり、熱交換器８１と、この熱交換器８１で熱交換された熱媒体を循環する循環回路８２と、熱交換器８１で加熱された熱媒体で床暖房を行なう床暖房熱交換器８３と、循環回路８２に熱媒体を循環するウォータポンプ８４等により構成されている。なお、循環回路８２の熱交換器８１の入口近傍および出口近傍には、水温サーミスタ８５、８６が配設され、循環回路８２内において熱交換器８１に流入する熱媒体および熱交換器８１から流出する熱媒体の温度情報を後述する制御装置２００に出力するようになっている。
【００８５】
なお、本実施形態では、熱交換器の熱媒体の被加熱物として床暖房ユニット８０を構成したが、床暖房ユニット８０に限らず、浴室内を暖房する浴室暖房器や浴室内を乾燥する浴室乾燥器などを構成しても良い。
【００８６】
また、２００は制御手段である制御装置であり、各サーミスタ３１、３３ａ、３３ｂ、３４、３６ａ〜３６ｈ、４８、８５、８６からの温度情報、流量カウンタ３５ａ、３５ｂからの流量情報および図示しない操作盤に設けられた操作スイッチからの信号等に基づいて、後述するようにヒートポンプユニット２、第１、第２混合弁１６ａ、１６ｂ、中温水混合弁１６ｃ、三方弁１５ｂ、１５ｃ、４９ａ、４９ｂ、ウォータポンプ４７、８４等を制御するように構成されている。
【００８７】
なお、図示しない操作盤は、浴室内や台所等の湯を使用する場所の近傍に設置され、操作盤以外は、屋外等の適所に設置されている。
【００８８】
次に、以上の構成による貯湯式給湯装置の作動を説明する。給湯装置の図示しない電源スイッチがオンされている場合には、制御装置２００は、貯湯槽１に設けられた各サーミスタからの温度情報等や、図示しない操作盤により設定された時刻情報等に基づいて、適宜ヒートポンプユニット２を作動させ貯湯槽１内の水を加熱して高温の湯（例えば９０℃の湯）とする。
【００８９】
そして、図示しない操作盤の床暖房スイッチがオンされた場合（床暖房予約タイマーによりスイッチがオンされた場合を含む）には、制御装置２００は、ウォータポンプ４７、８４を作動し、貯湯槽１内の最上部より吸入口４１から循環回路４３内に高温の湯を吸入するとともに、循環回路８２内に熱媒体を循環させる。
【００９０】
これにより、熱交換器８１において循環回路４３を流れる高温の湯と熱交換された循環回路８２内の熱媒体により、床暖房熱交換器８３を介して床暖房を行なうことができる。なお、このとき、制御装置２００は、水位サーミスタ３６ａ、および水温サーミスタ４８、８５、８６からの温度情報に基づいて、熱交換器８１および床暖房熱交換器８３における熱交換が良好に行なわれるようにウォータポンプ４７、８４を作動制御する。
【００９１】
また、制御装置２００は、床暖房を行なう制御を実行しているとき、水位サーミスタ３２ａ〜３６ｈおよび水温サーミスタ４８からの温度情報に基づいて三方弁４９ａ、４９ｂを制御し、熱交換器８１で熱交換され温度が低下した中温の湯（例えば５０℃の湯）が貯湯槽１内に吐出する吐出口４２ａ、４２ｂ、４２ｃの選択切り換えをする。
【００９２】
具体的には、水位サーミスタ３２ａ〜３６ｈが検出した貯湯槽１内の湯または水の温度が、水温サーミスタ４８が検出した熱交換後の中温の湯の温度とほぼ同一である部位に設けられた吐出口４２ａ、４２ｂ、４２ｃから中温の湯を吐出するものである。
【００９３】
例えば、水位サーミスタ３６ｆの検出温度が水温サーミスタ４８の検出温度とほぼ同一である場合には、制御装置２００は、三方弁４９ｂの出口側をもう一つの三方弁４９ｂの入口側に連通状態とするとともに、三方弁４９ｂの出口側を吐出口４２ｂに連通状態とするように切換制御することで、熱交換後の中温の湯を吐出口４２ｂから吐出する。
【００９４】
なお、水温サーミスタ４８の検出温度が水位サーミスタ３６ｈの検出温度より低い場合には、中温の湯を吐出口４２ａから吐出するように制御する。また、水温サーミスタ４８の検出温度が水位サーミスタ３６ｄの検出温度より高い場合には、中温の湯を吐出口４２ｃから吐出するように制御する。
【００９５】
ところで、貯湯槽１内の湯または水は、温度の異なる水の比重差により高温の湯ほど上部に低温の水ほど下部に貯えられている。上述のように三方弁４９ａ、４９ｂを切換制御することで、熱交換器８１で熱交換された後の中温の湯を、図１に示すように、貯湯槽１内の湯や水の温度勾配を乱すことなく貯湯槽１内に戻すことができる。
【００９６】
また、流量カウンタ３５ａ、３５ｂが配管１７ａ内、もしくは配管１７ｂ内の水の流れを検出したときには、給湯水栓、シャワー、風呂等のいずれかで湯が使用されようとしているということである。このとき制御装置２００は、設定温度に応じ、給水サーミスタ３１、水位サーミスタ３６ａ〜３６ｈおよび給湯サーミスタ３３ａ、３３ｂからの温度情報に基づいて第１、第２混合弁１６ａ、１６ｂおよび中温水混合弁１６ｃの制御を行なう。
【００９７】
上述したように中温水混合弁１６ｃは、第１、第２混合弁１６ａ、１６ｂの設定温度よりも高めの設定温度（例えば、＋３〜５℃程度）が設定されているので、因みに、高めの設定温度（例えば、＋３〜５℃程度）が水位サーミスタ３６ｅの検出温度以下である場合には、制御装置２００は、まず、配管１４において、上流側端部である導出口１４ａと中温水混合弁１６ｃの入口側とを連通状態となるように三方弁１５ｂ、１５ｃを制御する。
【００９８】
そして、水位サーミスタ３６ａの検出温度と水位サーミスタ３６ｇの検出温度とから中温水混合弁１６ｃの開口面積比を概略調節し、その後給湯サーミスタ３４からの温度情報に基づいて給湯温度が高めの設定温度（例えば、＋３〜５℃程度）となるように中温水混合弁１６ｃの開口面積比を微細制御する。
【００９９】
次に、給水サーミスタ３１の検出温度と給湯サーミスタ３４の検出温度とから第１混合弁１６ａの開口面積比を概略調節し、その後給湯サーミスタ３３ａからの温度情報に基づいて出湯温度が設定温度となるように第１混合弁１６ａの開口面積比を微細制御する。
【０１００】
一方、高めの設定温度（例えば、＋３〜５℃程度）が水位サーミスタ３６ｅの検出温度より高く水位サーミスタ３２ａの検出温度以下の場合には、制御装置２００は、まず、配管１４において、上流側端部である導出口１４ｃと中温水混合弁１６ｃの入口側とを連通状態となるように三方弁１５ｂ、１５ｃを制御する。そして、水位サーミスタ３６ａの検出温度と水位サーミスタ３６ｃの検出温度とから中温水混合弁１６ｃの開口面積比を概略調節し、その後給湯サーミスタ３４からの温度情報に基づいて給湯温度が高めの設定温度（例えば、＋３〜５℃程度）となるように中温水混合弁１６ｃの開口面積比を微細制御する。
【０１０１】
次に、給水サーミスタ３１の検出温度と給湯サーミスタ３４の検出温度とから第１混合弁１６ａの開口面積比を概略調節し、その後給湯サーミスタ３３ａからの温度情報に基づいて出湯温度が設定温度となるように第１混合弁１６ａの開口面積比を微細制御するものである。
【０１０２】
次に以上の構成および作動による第１実施形態の貯湯式給湯装置によれば、まず、熱交換器８１により熱交換され循環回路４３から貯湯槽１内に戻る中温の湯は、貯湯槽１内において高温の湯の下側、かつ水の上側に戻され、温度の異なる水の比重差により、貯湯槽１内において中温の湯と水とが混合し難い。
【０１０３】
従って、ヒートポンプユニット２は、貯湯槽１の最下部にある水から優先的に加熱する。このようにして、ヒートポンプユニット２の沸き上げ性能が低下することを防止することが可能となる。
【０１０４】
また、貯湯槽１内に戻された高温の湯と水との間よりも上方の部位に設けられた給湯配管１４、１７ａ、１７ｂの上流側端部から貯湯槽１内の湯を出湯させるように構成したことにより、貯湯槽１外に湯を消費されるときに、中温の湯の下限域が上方に移動しても上流側端部から中温の湯を確実に出湯させることができる。従って、給湯先の必要温度に応じて貯湯槽１内の湯を有効利用することができる。
【０１０５】
また、中温の湯の吐出口４２ａ、４２ｂ、４２ｃと上流側端部の導出口１４ａ、１４ｂ、１４ｃとの間には、確実に中温の湯の貯める層が形成できるため、貯湯槽１外に湯を消費されるときに中温の湯の下限域が上方に移動しても中温水の出湯を多くすることができる。従って、高温の湯の出湯を抑制し中温の湯を積極的に出湯することができるため貯湯槽１の容量を小型化とすることが可能である。
【０１０６】
さらに、ヒートポンプユニット２の電源を、例えば、深夜時間帯の深夜電力を用いる貯湯式給湯装置においては、高温の湯の出湯を抑制することができるため昼間時間帯における追加沸き上げ運転の運転時間の短縮化が図れる。
【０１０７】
また、配管１７ａもしくは配管１７ｂを介して給湯を行なうときには、ヒートポンプユニット２により加熱され貯湯槽１内に貯えられた高温の湯ばかりでなく、床暖房ユニット８０に熱を供給し貯湯槽１内に戻った中温の湯も出湯することが可能である。
【０１０８】
また、第１、第２混合弁１６ａ、１６ｂの上流側に高めの設定温度の湯温に調節する中温水混合弁１６ｃを設けることにより、貯湯槽１内の最上部に貯えられた高温の湯の出湯を抑制させ、かつ上流側端部から中温の湯を積極的に出湯させることができる。
【０１０９】
また、循環回路４３から貯湯槽１内に戻された中温の湯は、暫くは温度勾配があるために導出口１４ａ、１４ｂ、１４ｃから導出される湯温のバラツキが大きい。そこで、高めの設定温度による混合を中温水混合弁で調節することにより、第１、第２混合弁１６ａ、１６ｂにおける出湯温度の安定が図れる。
【０１１０】
また、ヒートポンプユニット２の冷媒に二酸化炭素を採用すると、超臨界域を用いることで第１循環回路２０および循環回路４３を流れる水を加熱する冷媒の温度（圧縮機からの吐出温度）を高くすることができる。従って、高温の湯を効率良く沸き上げることができる。
【０１１１】
（第２実施形態）
以上の第１実施形態では、単数の貯湯槽１を備える貯湯式給湯装置について説明したが、これに限らず、複数の貯湯槽を設けても良い。本実施形態では、図２に示すように、第１貯湯槽１ａと第２貯湯槽１ｂとを配管２０３で接続して構成している。なお、前述の第１実施形態と同様の構成については同一の符号を付してその説明は省略する。
【０１１２】
まず、配管２０３は第１貯湯槽１ａ内の最下部と第２貯湯槽１ｂ内の最上部とを連通するように配設されている。導入口１２ａは第２貯湯槽１ｂの底面に設けられている。そして、導入口１２ａには給水配管である導入管１２が接続しており、導入管１２の減圧弁３２が設けられた部位より下流側と第１混合弁１６ａおよび第２混合弁１６ｂとは配管１２ｂ、１２ｃにより繋がれている。
【０１１３】
一方、第１貯湯槽１ａの最上部には導出口２１３ａが設けられ、導出口２１３ａには第１貯湯槽１ａ内の湯を導出するための給湯経路である導出管２１３が接続されている。
【０１１４】
３８は、導出管２１３と導出管１３との合流点に配設された三方弁であり、三方弁３８の下流側に接続された導出管１３に流れ込む湯の経路を、導出口２１３ａから導出管２１３の上流端である導出口２１３ａ側から流れ込む経路もしくは導出管１３の上流端である導出口１３ａ側から流れ込む経路に切り換えられるようになっている。
【０１１５】
なお、この三方弁３８は、第１実施形態の三方弁１５ｂ、１５ｃ、４９ａ、４９ｂらと同様に制御装置２００からの制御信号により作動される。
従って、本実施形態における給湯配管は、導出管２１３、導出管１３、１４および配管１７ａ、１７ｂから構成されている。
【０１１６】
次に、第２貯湯槽１ｂの下部には、貯湯槽１ｂ内の最下部の水を吸入するための吸入口１８が設けられ、第１貯湯槽１ａの上部には、第１貯湯槽１ａ内の最上部に湯を吐出する吐出口１９が設けられている。吸入口１８と吐出口１９とは循環回路２０ａで接続されている。この循環回路２０ａは本実施形態における第１循環回路である。
【０１１７】
また、第１の貯湯槽１ａの外壁面には複数の（本例では５つの）水位サーミスタ３７ａ、３７ｂ、３７ｃ、３７ｄ、３７ｅが縦方向（第１貯湯槽１ａの高さ方向）にほぼ等間隔に配置されるとともに、第２貯湯槽１ｂの外壁面には複数の（本例では８つの）水位サーミスタ３６ａ、３６ｂ、３６ｃ、３６ｄ、３６ｅ、３６ｆ、３６ｇ、３６ｈが縦方向（第２貯湯槽１ｂの高さ方向）にほぼ等間隔に配置されている。
【０１１８】
そして、第１貯湯槽１ａおよび第２貯湯槽１ｂ内に満たされた水の各水位レベルでの温度情報を後述する制御装置２００に出力するようになっている。従って、制御装置２００は、水位サーミスタ３７ａ〜３７ｅ、３６ａ〜３６ｈからの温度情報に基づいて、第１貯湯槽１ａおよび第２貯湯槽１ｂ内において沸き上げられた湯と沸き上げられる前の水との境界位置を検出できるようになっている。
【０１１９】
なお、水位サーミスタ３７ａは、第１貯湯槽１ａの最上部外壁面に設けられており、導出口２１３ａや吸入口４１に吸入される湯の温度である第１貯湯槽１ａ内の最上部の湯温を検出する出湯サーミスタの機能も有している。また、水位サーミスタ３６ａは、第２貯湯槽１ｂの最上部外壁面に設けられており、導出口１３ａに吸入される湯の温度である第２貯湯槽１ｂ内の最上部の湯温を検出する出湯サーミスタの機能も有している。
【０１２０】
また、第１貯湯槽１ａの上部には、第１貯湯槽１ａ内の最上部の湯を吸入するための吸入口４１が設けられ、第２貯湯槽１ｂの中ほどから下方にかけて、第２貯湯槽１ｂ内に湯を吐出する複数（本例では三つ）の下流側端部である吐出口４２ａ、４２ｂ、４２ｃが設けられている。この吸入口４１と吐出口４２ａ、４２ｂ、４２ｃとは第２循環回路である循環回路４３ａで接続されている。
【０１２１】
また、循環回路４３ａには、第１実施形態と同様にウォータポンプ４７と水温サーミスタ４８が設けられている。なお、８０は第１実施形態と同一構成の床暖房ユニットであり、熱交換器８１により循環回路４３ａ内の高温の湯と循環回路８２内の熱媒体とを熱交換できるようになっている。
【０１２２】
また、２００は制御手段である制御装置であり、各サーミスタ３１、３３ａ、３３ｂ、３４、３６ａ〜３６ｈ、３７ａ〜３７ｅ、４８、８５、８６からの温度情報、流量カウンタ３５ａ、３５ｂからの流量情報および図示しない操作盤に設けられた操作スイッチからの信号等に基づいて、後述するようにヒートポンプユニット２、第１、第２混合弁１６ａ、１６ｂ、中温水混合弁１６ｃ、三方弁１５ｂ、１５ｃ、３８、４９ａ、４９ｂ、ウォータポンプ４７、８４等を制御するように構成されている。
【０１２３】
次に、上記構成に基づき本実施形態の貯湯式給湯装置の作動を説明する。貯湯式給湯装置の図示しない電源スイッチがオンされている場合には、制御装置２００は、第１、第２貯湯槽１ａ、１ｂに設けられた各サーミスタからの温度情報等や、図示しない操作盤により設定された時刻情報等に基づいて、適宜ヒートポンプユニット２を作動させ第１、第２貯湯槽内の水を加熱して高温の湯（例えば９０℃の湯）とする。
【０１２４】
そして、図示しない操作盤の床暖房スイッチがオンされた場合（床暖房予約タイマーによりスイッチがオンされた場合を含む）には、制御装置２００は、ウォータポンプ４７、８４を作動し、第１貯湯槽１ａ内の最上部より吸入口４１から循環回路４３ａ内に高温の湯を吸入するとともに、循環回路８２内に熱媒体を循環させる。
【０１２５】
これにより、熱交換器８１において循環回路４３ａを流れる高温の湯と熱交換された循環回路８２内の熱媒体により、床暖房熱交換器８３を介して床暖房を行なうことができる。なお、このとき、制御装置２００は、水位サーミスタ３７ａ、水温サーミスタ４８、８５、８６からの温度情報に基づいて、熱交換器８１および床暖房熱交換器８３における熱交換が良好に行なわれるようにウォータポンプ４７、８４を作動制御する。
【０１２６】
そして、循環回路４３ａを流れ、熱交換器８１で熱交換され温度が低下した中温の湯（例えば５０℃の湯）が第１実施形態と同様に第２貯湯槽１ｂ内に吐出する吐出口４２ａ、４２ｂ、４２ｃの選択切り換えをする。これにより、第２貯湯槽１ｂ内においては、温度の異なる水の比重差により、上部に高温の湯が、下部に中温の湯が貯えられる。
【０１２７】
本実施形態では、上述のような床暖房運転中に第１貯湯槽１ａ内の熱量（高温の湯）の不足が発生したときには、制御装置２００はヒートポンプユニット２を作動させ、第２貯湯槽１ｂ内の最下部の水を加熱して高温の湯とし、第１貯湯槽１ａの最上部に供給する。これに伴い、第１貯湯槽１ａの下部に貯えられていた中温の湯は、配管２０３を介して第２貯湯槽１ｂ内の最上部に流入する。
【０１２８】
また、流量カウンタ３５ａ、３５ｂが配管１７ａもしくは配管１７ａ内の水の流れを検出したときには、給湯水栓、シャワー、風呂等のいずれかで湯が使用されようとしているということである。このとき制御装置２００は、設定温度に応じ、給水サーミスタ３１、水位サーミスタ３７ａ、３６ａおよび給湯サーミスタ３３ａ、３３ｂおよび３４からの温度情報に基づいて第１、第２混合弁１６ａ、１６ｂ、中温水混合弁１６ｃおよび三方弁３８の制御を行なう。
【０１２９】
ところで、本実施形態において設けられた三方弁３８は、中温水混合弁１６ｃの一方の入口側に流れ込む湯を切り換えるための切換弁であって、中温水混合弁１６ｃの高めの設定温度によって選択切り換えをするようになっている。具体的には、水位サーミスタ３６ａにより検出された湯温よりも高い湯温を中温水混合弁１６ｃに導出させたいときに切り換わるものである。
【０１３０】
なお、第１、第２混合弁１６ａ、１６ｂおよび中温水混合弁１６ｃの作動については前述の第１実施形態と同様であるため省略する。また、配管１７ａもしくは、配管１７ｂを介して給湯が行なわれるときには、導入口１２ａより第２貯湯槽１ｂ内の最下部に水道水が供給される。
【０１３１】
以上の実施形態の貯湯式給湯装置によれば、熱交換器８１により熱交換された後の中温の湯は、循環回路４３ａから第２貯湯槽１ｂ内に戻る。また、給湯に伴い導入管１２から供給される水は、第２貯湯槽１ｂ内の最下部に入る。そして第２貯湯槽１ｂにおいては、床暖房運転が終了し中温の湯が戻った後に、最下部に水が入る。従って、第１実施形態と同様な効果を奏する。
【０１３２】
なお、本実施形態では、第１貯湯槽１ａ内の熱量（高温の湯）の不足が発生したときには、ヒートポンプユニット２を作動させることにより、高温の湯の沸き上げが迅速に行えることができる。
【０１３３】
（第３実施形態）
以上の第２実施形態では、第１循環回路２０ａにおいて、第１貯湯槽１ａと第２貯湯槽１ｂとを直列に循環するように構成したが、第１貯湯槽１ａと第２貯湯槽１ｂとが並列に循環させるように構成しても良い。本実施形態では、図３に示すように、第１貯湯槽１ｃと第２貯湯槽１ｄとを並設して、それぞれの貯湯槽１ｃ、１ｄ内の湯をヒートポンプユニット２で加熱させるように構成している。なお、前述の第１および第２実施形態と同様の構成については同一の符号を付してその説明は省略する。
【０１３４】
まず、導入口１２ｄは第１貯湯槽１ｃの底面に設けられ、導入口１２ａは第２貯湯槽１ｄの底面に設けられている。両導入口１２ａ、１２ｄには給水配管である導入管１２が接続しており、導入管１２の減圧弁３２が設けられた部位より下流側と第１混合弁１６ａおよび第２混合弁１６ｂとは配管１２ｂ、１２ｃにより繋がれている。
【０１３５】
一方、第１貯湯槽１ｃの最上部には導出口２１３ａが設けられ、導出口２１３ａには第１貯湯槽１ｃ内の湯を導出するための給湯経路である導出管２１３が接続されている。３８は、導出管２１３と導出管１３との合流点に配設された三方弁であり、三方弁３８の下流側に接続された導出管１３に流れ込む湯の経路を、導出口２１３ａから導出管２１３の上流端である導出口２１３ａ側から流れ込む経路もしくは導出管１３の上流端である導出口１３ａ側から流れ込む経路に切り換えるようになっている。
【０１３６】
また、第２貯湯槽１ｄの最上部には導出口１３ａが設けられ、導出口１３ａには第２貯湯槽１ｄ内の湯を導出するための給湯経路である導出管１３が接続されている。なお、導出管２１３、１３、１４、配管１７ａ、１７ｂからなる構成が、本実施形態における給湯配管である。
【０１３７】
次に、第１貯湯槽１ｃの下部には、第１貯湯槽１ｃの内最下部の水を吸入するための吸入口１８ａが設けられ、第１貯湯槽１ｃの上部には、第１貯湯槽１ｃ内の最上部に湯を吐出する吐出口１９ａが設けられている。また、第２貯湯槽１ｄの下部には、第２貯湯槽１ｄ内の最下部の水を吸入するための吸入口１８が設けられ、第２貯湯槽１ｄの上部には、第２貯湯槽１ｄ内の最上部に湯を吐出する吐出口１９が設けられている。
【０１３８】
吸入口１８ａ、１８と吐出口１９ａ、１９とはそれぞれ循環回路２０ｂ、２０ｃで接続されている。循環回路２０ｂは、第１貯湯槽１ｃ内最下部の水を第１貯湯槽１ｃ内の最上部に送る循環回路であって、吸入口１８ａから吐出口１９ａに至る配管で構成されている。また、循環回路２０ｃは、第２貯湯槽１ｄ内最下部の水を第２貯湯槽１ｄ内の最上部に送る循環回路であって、吸入口１８から吐出口１９に至る配管で構成されている。
【０１３９】
そして、吸入口１８ａ、１８と吐出口１９ａ、１９との間には、三方弁３９ａ、３９ｂ、およびヒートポンプユニット２が配設されている。三方弁３９ａ３９ｂとは連動制御され、吸入口１８ａから水を吸入したときには吐出口１９ａから湯を吐出するように、吸入口１８から水を吸入したときには吐出口１９から湯を吐出するように流路を切り換えるようになっている。
【０１４０】
なお、循環回路２０ｂからなる構成が本実施形態における第１循環回路であり、循環回路２０ｃからなる構成が、本実施形態における第２循環回路である。また、ヒートポンプユニット２は、本実施形態における第１のヒートポンプユニットであるとともに第２のヒートポンプユニットである。
【０１４１】
次に、第１貯湯槽１ｃの外壁面には複数（本例では５つの）の水位サーミスタ３７ａ、３７ｂ、３７ｃ、３７ｄ、３７ｅが縦方向（第１貯湯槽１ｃの高さ方向）にほぼ等間隔に配置され、第２貯湯槽１ｄの外壁面には複数（本例では８つの）の水位サーミスタ３６ａ、３６ｂ、３６ｃ、３６ｄ、３６ｅ、３６ｆ、３６ｇ、３６ｈが縦方向（第２貯湯槽１ｄの高さ方向）にほぼ等間隔に配置されている。
【０１４２】
そして、第１貯湯槽１ｃおよび１ｄ内に満たされた水の各水位レベルでの温度情報を後述する制御装置２００に出力するようになっている。従って、制御装置２００は、水位サーミスタ３７ａ〜３７ｅ、３６ａ〜３６ｈからの温度情報に基づいて、第１貯湯槽１ｃおよび１ｄ内において沸き上げられた湯と沸き上げられる前の水との境界位置を検出できるようになっている。
【０１４３】
なお、水位サーミスタ３７ａは、第１貯湯槽１ｃの最上部外壁面に設けられており、導出口２１３ａや吸入口１９ａに吸入される湯の温度である第１貯湯槽１ｃ内最上部の水温を検出する出湯サーミスタの機能も有している。また、水位サーミスタ３６ａは、第２貯湯槽１ｄの最上部外壁面に設けられており、導出口１３ａや吸入口１９、４１に吸入される湯の温度である第２貯湯槽１ｄ内最上部の水温を検出する出湯サーミスタの機能も有している。
【０１４４】
また、第２貯湯槽１ｄの上部には、第２貯湯槽１ｄ内の最上部の湯を吸入するための吸入口４１が設けられ、第２貯湯槽１ｄの中ほどから下方にかけて、第２貯湯槽１ｄ内に湯を吐出する複数（本例では三つ）の下流側端部である吐出口４２ａ、４２ｂ、４２ｃが設けられている。この吸入口４１と吐出口４２ａ、４２ｂ、４２ｃとは第３循環回路である循環回路４３ｂで接続されている。
【０１４５】
また、循環回路４３ｂには、第１および第２実施形態と同様にウォータポンプ４７と水温サーミスタ４８が設けられている。なお、８０は第１および第２実施形態と同一構成の床暖房ユニットであり、熱交換器８１により循環回路４３ｂ内の高温の湯と循環回路８２内の熱媒体とを熱交換できるようになっている。
【０１４６】
また、２００は制御手段である制御装置であり、各サーミスタ３１、３３ａ、３３ｂ、３４、３６ａ〜３６ｈ、３７ａ〜３７ｅ、４８、８５、８６からの温度情報、流量カウンタ３５ａ、３５ｂからの流量情報および図示しない操作盤に設けられた操作スイッチからの信号等に基づいて、後述するようにヒートポンプユニット２、第１、第２混合弁１６ａ、１６ｂ、中温水混合弁１６ｃ、三方弁１５ｂ、１５ｃ、３８、３９ａ、３９ｂ、４９ａ、４９ｂ、ウォータポンプ４７、８４等を制御するように構成されている。
【０１４７】
次に、上記構成に基づき本実施形態の貯湯式給湯装置の作動を説明する。貯湯式給湯装置の図示しない電源スイッチがオンされている場合には、制御装置２００は、第１、第２貯湯槽１ｃ、１ｄに設けられた各サーミスタからの温度情報等や、図示しない操作盤により設定された時刻情報等に基づいて、適宜ヒートポンプユニット２を作動させ第１、第２貯湯槽１ｃ、１ｄ内の水を加熱して高温の湯（例えば９０℃の湯）とする。
【０１４８】
なお、ヒートポンプユニット２により第１、第２貯湯槽１ｃ、１ｄ内の沸き上げ運転を行なうときには、制御装置２００は三方弁３９ａ、３９ｂを制御し循環回路２０ｂ、２０ｃの流路を切り換えることで、第１貯湯槽１ｃ内の沸き上げと第２貯湯槽１ｄ内の沸き上げを別個に行なう。
【０１４９】
そして、図示しない操作盤の床暖房スイッチがオンされた場合（床暖房予約タイマーによりスイッチがオンされた場合を含む）には、制御装置２００は、ウォータポンプ４７、８４を作動し、第２貯湯槽１ｄ内の最上部より吸入口４１から循環回路４３ｂ内に高温の湯を吸入するとともに、循環回路８２内に熱媒体を循環させる。
【０１５０】
これにより、熱交換器８１において循環回路４３ｂを流れる高温の湯と熱交換された循環回路８２内の熱媒体により、床暖房熱交換器８３を介して床暖房を行なうことができる。なお、このとき、制御装置２００は、水位サーミスタ３７ａ、水温サーミスタ４８、８５、８６からの温度情報に基づいて、熱交換器８１および床暖房熱交換器８３における熱交換が良好に行なわれるようにウォータポンプ４７、８４を作動制御する。
【０１５１】
そして、循環回路４３ｂを流れ、熱交換器８１で熱交換され温度が低下した中温の湯（例えば５０℃の湯）が第１、第２実施形態と同様に第２貯湯槽１ｄ内に吐出する吐出口４２ａ、４２ｂ、４２ｃの選択切り換えをする。これにより、第２貯湯槽１ｂ内においては、温度の異なる水の比重差により、上部に高温の湯が、下部に中温の湯が貯えられる。
【０１５２】
また、流量カウンタ３５ａ、３５ｂが配管１７ａもしくは配管１７ａ内の水の流れを検出したときには、給湯水栓、シャワー、風呂等のいずれかで湯が使用されようとしているということである。このとき制御装置２００は、設定温度に応じ、給水サーミスタ３１、水位サーミスタ３７ａ、３６ａおよび給湯サーミスタ３３ａ、３３ｂおよび３４からの温度情報に基づいて第１、第２混合弁１６ａ、１６ｂ、中温水混合弁１６ｃおよび三方弁３８の制御を行なう。
【０１５３】
三方弁３８は、第２実施形態で述べたように、中温水混合弁１６ｃの一方の入口側に流れ込む湯を切り換えるものであって、中温水混合弁１６ｃの高めの設定温度によって選択切り換えをするようになっている。具体的には、水位サーミスタ３６ａにより検出された湯温よりも高い湯温を中温水混合弁１６ｃに導出させたいときに切り換わるものである。
【０１５４】
なお、第１、第２混合弁１６ａ、１６ｂおよび中温水混合弁１６ｃの作動については前述の第１、第２実施形態と同様であるため省略する。また、配管１７ａもしくは、配管１７ｂを介して給湯が行なわれるときには、導入口１２ａ、１２ｄより第１、第２貯湯槽１ｃ、１ｂ内の最下部に水道水が供給される。従って、以上の構成および作動による貯湯式給湯装置によれば、熱交換器８１により熱交換された後の中温の湯は、循環回路４３ｂから第２貯湯槽１ｄ内に戻る。また、給湯に伴い導入管１２から供給される水は、第１、第２貯湯槽１ｃ、１ｂ内の最下部に入る。そして第２貯湯槽１ｄにおいては、床暖房運転が終了し中温の湯が戻った後に、最下部に水が入る。従って、第１、第２実施形態と同様な効果を奏する。
【０１５５】
なお、本実施形態では、第１貯湯槽１ｃには床暖房運転を行なっても中温の湯は戻らないので、ヒートポンプユニット２は、第２貯湯槽１ｄの最下部にある水から優先的に加熱する。このようにして、ヒートポンプユニット２の沸き上げ性能が低下することを防止することが可能となる。
【０１５６】
また、以上の実施形態では、二つの貯湯槽を並設させたが、複数個の第１貯湯槽１ｃを設けても良い。
【０１５７】
（他の実施形態）
以上の第２、３実施形態では、給湯を行なう際に、水位サーミスタ３６ａ、３３７ａの検出温度に応じて第１貯湯槽１ａ、１ｃもしくは第２貯湯槽１ｂ、１ｄから湯を導出するものであったが、図示しない操作盤の床暖房スイッチがオンされておらず、かつ床暖房予約が設定されていないときには、第１貯湯槽１ａ、１ｃもしくは第２貯湯槽１ｂ、１ｄから適宜湯を導出するものであってもよい。
【０１５８】
また、以上の実施形態では、循環回路４３、４３ａ、４３ｂの下流側端部を吐出口４２ａ、４２ｂ、４２ｃを３箇所設けたが、これに限定されるものではない。また、導出管１４、および配管１７ａ、１７ｂの上流側端部においても同様に３個に限定されるものではない。
【０１５９】
また、上記各実施形態において、外気温センサ等の外気温検出手段を設け、この外気温検出手段が検出する温度が所定値以上の場合には、前述の操作盤の床暖房スイッチがオンされておらず、かつ床暖房予約が設定されていない場合のように、給湯するものであってもよい。
【０１６０】
また、上記各実施形態では、熱交換手段である熱交換器８１は、循環回路４３、４３ａ、４３ｂを流れる高温の湯と床暖房ユニット８０の熱媒体とを熱交換するものであったがこれに限定されるものではない。例えば、浴室や洗面室などを暖房する暖房器、および浴室内を乾燥する乾燥器の熱媒体と熱交換させてもよい。なお、乾燥器は暖房器とは異なり外気を導入させることで浴室内の乾燥を促進させることができる。
【０１６１】
また、以上の実施形態では、ヒートポンプユニット２の電源に深夜電力を用いたが、これに限らず、昼間時間帯の交流電力を用いても良い。
【図面の簡単な説明】
【図１】本発明の第１実施形態における貯湯式給湯装置の全体構成を示す模式図である。
【図２】本発明の第２実施形態における貯湯式給湯装置の全体構成を示す模式図である。
【図３】本発明の第３実施形態における貯湯式給湯装置の全体構成を示す模式図である。
【図４】他の実施形態における貯湯式給湯装置の全体構成を示す模式図である。
【符号の説明】
１…貯湯槽
１ａ、１ｃ…第１貯湯槽
１ｂ、１ｄ…第２貯湯槽
２…ヒートポンプユニット（第１、第２ヒートポンプユニット）
１３、１４、２１３…導出管（給湯配管）
１４ａ、１４ｂ、１４ｃ…導出口（上流側端部）
１６ａ…第１混合弁
１６ｂ…第２混合弁
１６ｃ…中温水混合弁（第３混合弁）
１７ａ、１７ｂ…配管（給湯配管）
２０、２０ａ、２０ｂ…循環回路（第１循環回路）
２０ｃ…循環回路（第１循環回路）
４２ａ、４２ｂ、４２ｃ…吐出口（下流側端部）
４３、４３ａ…循環回路（第２循環回路）
４３ｂ…循環回路（第３循環回路）
８１…熱交換器（熱交換手段）
【図１】
2004183920.tif 000003
【図２】
2004183920.tif 000004
【図３】
2004183920.tif 000005
【図４】
2004183920.tif 000006